(57)【特許請求の範囲】
【請求項１】
空調機器と標準化された通信規格に則ったシリアル通信を行う通信部と、
音声を入力する音声入力部と、
入力された音声を解析して認識する音声認識部と、
処理状態が音声認識制御中である場合に、前記音声認識部による認識結果に基づいて、前記空調機器を制御するための制御データを生成し、当該空調機器に前記通信部を介して送信する制御装置と、を備え、
前記制御装置は、
前記処理状態が非音声認識制御中である場合に、ユーザにより、音声認識による制御を開始させるための予め定義された複数の異なるキーワードが所定範囲の時間間隔で発声されたことを認識すると、前記処理状態を前記音声認識制御中に設定する機能と、前記処理状態が非音声認識制御中である場合に、複数の異なる周波数の電子音が所定範囲の時間間隔で発せられたことを認識すると、前記処理状態を前記音声認識制御中に設定する機能と、を備え、
前記処理状態が前記音声認識制御中である場合に、ユーザにより、音声認識による制御を終了させるための予め定義されたキーワードが発声されたことを認識すると、前記処理状態を前記非音声認識制御中に設定し、
前記空調機器に対する制御結果を所定態様でユーザに報知する、
ことを特徴とする空調機器制御アダプタ。
【発明の詳細な説明】
【技術分野】
【０００１】
本発明は、ユーザの音声を認識して空調機器を制御する空調機器制御アダプタに関する。
【背景技術】
【０００２】
従来より、音声により空調装置やオーディオ装置を制御する技術が種々提案されている（例えば、特許文献１）。
【０００３】
特許文献１で開示される音声認識制御装置は、入力音声が所定のコマンドを示すものであると判定されると、空調装置やオーディオ装置の音声認識による操作を開始する。これにより、例えば、操作者が音声認識を開始させるためのスイッチを操作できな状況であっても、空調装置やオーディオ装置を操作することが可能となる。
【先行技術文献】
【特許文献】
【０００４】
【特許文献１】特開２０００−１９４３９３号公報
【発明の概要】
【発明が解決しようとする課題】
【０００５】
例えば、オフィスビル等に導入される空調システムでは、一般に室内機等は、天井に埋設されているケースが多い。このような空調システムにおいて、新たに室内機等を設置したり、交換したり等した場合や、定期的なメンテナンスを行う場合、音声により室内機等の動作制御ができれば、非常に便利であり、作業性の向上が図れる。
【０００６】
しかしながら、上記の空調システムに、特許文献１で提案される技術を採用した場合、本来の操作者でない者が発した音声を特定の音声として入力してしまい、音声認識の開始をさせてしまう可能性を否定できない。また、メンテナンス等の作業中に、近くに他の者が居ると、容易にその者に当該特定の音声が知られてしまうおそれがあり、秘匿性が低いという問題もある。
【０００７】
本発明は、上記の問題を解決するためになされたものであり、音声による空調機器の制御において、ユーザの意図しないタイミングで音声認識が開始されてしまうことを防止でき、且つ、秘匿性も高くなることが期待できる空調機器制御アダプタを提供することを目的とする。
【課題を解決するための手段】
【０００８】
上記目的を達成するため、本発明に係る空調機器制御アダプタは、
空調機器と標準化された通信規格に則ったシリアル通信を行う通信部と、
音声を入力する音声入力部と、
入力された音声を解析して認識する音声認識部と、
処理状態が音声認識制御中である場合に、前記音声認識部による認識結果に基づいて、前記空調機器を制御するための制御データを生成し、当該空調機器に前記通信部を介して送信する制御装置と、を備え、
前記制御装置は、
前記処理状態が非音声認識制御中である場合に、ユーザにより、音声認識による制御を開始させるための予め定義された複数の異なるキーワードが所定範囲の時間間隔で発声されたことを認識すると、前記処理状態を前記音声認識制御中に設定する機能と、前記処理状態が非音声認識制御中である場合に、複数の異なる周波数の電子音が所定範囲の時間間隔で発せられたことを認識すると、前記処理状態を前記音声認識制御中に設定する機能と、を備え、
前記処理状態が前記音声認識制御中である場合に、ユーザにより、音声認識による制御を終了させるための予め定義されたキーワードが発声されたことを認識すると、前記処理状態を前記非音声認識制御中に設定し、
前記空調機器に対する制御結果を所定態様でユーザに報知する、ことを特徴とする。
【発明の効果】
【０００９】
本発明によれば、音声による空調機器の制御において、ユーザの意図しないタイミングで音声認識が開始されてしまうことを防止でき、秘匿性も高くなることが期待できる。
【図面の簡単な説明】
【００１０】
【図１】本発明の実施形態１に係る空調機器制御アダプタを適用した空調システムの全体構成を示す図である。
【図２】実施形態１の空調機器制御アダプタの構成を示すブロック図である。
【図３】実施形態１の空調機器制御アダプタが備えるマイコンの機能構成を示すブロック図である。
【図４】コマンド呼称一覧テーブルを説明するための図である。
【図５】数値呼称一覧テーブルを説明するための図である。
【図６】開始キーワード定義テーブルを説明するための図である。
【図７】実施形態１の空調機器制御アダプタの動作手順を示すフローチャートである。
【図８】本発明の実施形態２に係る空調機器の構成を示すブロック図である。
【図９】実施形態２の空調機器が備える音声処理部の構成を示すブロック図である。
【発明を実施するための形態】
【００１１】
以下、本発明の実施形態について図面を参照して詳細に説明する。
【００１２】
（実施形態１）
図１は、本発明の実施形態１に係る空調機器制御アダプタ４を適用した空調システムの全体構成を示す図である。この空調システムは、例えば、オフィスビル内に設置され、図１に示すように、室外機１と、複数の室内機２（２Ａ，２Ｂ，…）と、から構成される。室外機１及び各室内機２は、通信線３を介して相互に通信可能となるように接続されている。なお、図示はしないが、通信線３には、この空調システムを統合的に制御、管理するコントローラ（空調管理装置）が接続されている。また、室外機１と各室内機２とは、冷媒を循環させるための冷媒配管により接続されている。
【００１３】
各空調機器（室外機１及び各室内機２）には、通信上のアドレス（機器アドレス）が割り振られている。本実施形態では、室外機１の機器アドレスが“５１”、室外機２Ａ及び２Ｂの機器アドレスがそれぞれ“１０１”及び“１０２”となっている。
【００１４】
空調機器制御アダプタ４は、ユーザ（作業者）の音声を認識し、これを空調機器用の制御コマンドに変換し、変換した制御コマンドを含む制御データを生成して、通信線５を介して接続する空調機器（図１の例では、室内機２Ｂ）の動作制御を行う。本実施形態では、日本電機工業会（ＪＥＭＡ）の規格に則って、空調機器制御アダプタ４と各空調機器との間でシリアル通信が行われる。
【００１５】
空調機器制御アダプタ４は、図２に示すように、通信回路４０と、受信マイク４１と、音声認識回路４２と、マイコン４３と、を備える。通信回路４０（通信部）は、通信線５に接続し、ＪＥＭＡの規格に則って、通信線５に接続する空調機器（例えば、室内機２Ｂ）とシリアル通信を行う。
【００１６】
受信マイク４１は、作業者の音声等を入力するためのマイクロフォンである。音声認識回路４２（音声認識部）は、周知の手法により入力音声の認識を行う回路である。音声認識回路４２は、音声の認識結果（例えば、テキストデータ）をマイコン４３に出力する。
【００１７】
マイコン４３（制御装置）は、マイクロプロセッサ（Microprocessor）、ＲＡＭ（Random Access Memory）、ＲＯＭ（Read Only Memory）、フラッシュメモリ等の読み書き可能な半導体メモリ等から構成されるマイクロコンピュータである。マイコン４３は、音声認識回路４２から出力された認識結果に基づいて制御データを生成する。そして、マイコン４３は、生成した制御データを通信回路４０を介して、接続先の空調機器に送信する。かかる制御データのフォーマットは、室外機１と各室内機２間における制御データと同様である。
【００１８】
なお、空調機器制御アダプタ４への給電方法に限定はない。例えば、空調機器制御アダプタ４は、電池等を備える構成であってもよいし、外部電源端子あるいは非接触給電部を備え、接続する空調機器から有線あるいは非接触で給電されるようにしてもよい。
【００１９】
各空調機器（室外機１及び各室内機２）は、ユーザにより、各空調機器に対応するリモコン（図示せず）が操作されたり、あるいは図示しない空調管理装置が操作されることで、その操作内容に応じた運転動作を行う。また、各空調機器は通信線５と接続するためのＪＥＭＡ端子を備えており、ＪＥＭＡ端子から入力された制御データに応じた運転動作も行う。
【００２０】
空調機器制御アダプタ４のマイコン４３は、複数の処理状態を有する。本実施形態では、処理状態として、「非音声認識制御中」、「音声認識制御中」、「開始受付中」の３つの状態が存在する。
【００２１】
「非音声認識制御中」とは、空調機器制御アダプタ４によって空調機器への音声認識による制御が開始されていない状態をいう。この状態において、作業者が予め決められた制御用の音声（例えば“しうんてん”（試運転））を発しても、当該音声に対応した制御は行われない。本実施形態では、「非音声認識制御中」に作業者により予め決められた２つの異なるキーワードが所定の順番且つ所定範囲の時間間隔で発声された場合に処理状態が「音声認識制御中」に移行する。
【００２２】
「音声認識制御中」とは、空調機器制御アダプタ４によって空調機器への音声認識による制御が開始されている状態をいい、この状態において作業者が予め決められた制御用の音声を発すると、接続先の空調機器に対して当該音声に対応した制御が行われる。
【００２３】
また、「開始受付中」とは、詳細は後述するが、空調機器制御アダプタ４によって空調機器への音声認識による制御が開始されていない状態であるが、ユーザにより発声された、音声認識制御を開始させるための予め決められた最初のキーワードを認識した後の状態をいう。
【００２４】
空調機器制御アダプタ４のマイコン４３は、機能的には、図３に示すように、処理振分部４３０と、制御内容特定部４３１と、開始判定部４３２と、計時部４３３と、制御データ生成部４３４と、を有する。
【００２５】
処理振分部４３０は、音声認識回路４２から認識結果が出力された際、現在の処理状態に基づいて当該認識結果に応じた処理を制御内容特定部４３１又は開始判定部４３２の何れが行うべきかを判定する。例えば、現在の処理状態が「非音声認識制御中」又は「開始受付中」の場合、処理振分部４３０は、開始判定部４３２が処理を行うべきと判定し、処理実行の指示を開始判定部４３２に通知する。
【００２６】
一方、現在の処理状態が、上記以外、即ち「音声認識制御中」の場合、処理振分部４３０は、制御内容特定部４３１が処理を行うべきと判定し、処理実行の指示を制御内容特定部４３１に通知する。
【００２７】
制御内容特定部４３１は、処理振分部４３０から上記の通知を受けると、音声認識回路４２の認識結果（テキストデータ）と、コマンド呼称一覧テーブル（図４参照）と、数値呼称一覧テーブル（図５参照）と、に基づいて、作業者が発声した（指示した）制御の内容を特定する。コマンド呼称一覧テーブルは、この空調機器制御アダプタ４で制御可能なコマンド毎に、コマンドＩＤと呼称が対応付けられたデータが複数登録されたデータテーブルである。コマンド呼称一覧テーブルは、マイコン４３が備えるＲＯＭや半導体メモリ等に予め記憶されている。
【００２８】
数値呼称一覧テーブルは、数値と呼称が対応付けられたデータが複数登録されたデータテーブルである。数値呼称一覧テーブルは、コマンド呼称一覧テーブルと同様、マイコン４３が備えるＲＯＭや半導体メモリ等に予め記憶されている。
【００２９】
例えば、作業者が“しうんてん”と発声した場合、制御内容特定部４３１は、コマンド呼称一覧テーブルを参照して、作業者が発声した（指示した）制御の内容（コマンド）が「試運転の開始」であると特定する。また、例えば、作業者が“ていし”と発声した場合、制御内容特定部４３１は、コマンド呼称一覧テーブルを参照して、作業者が指示した制御の内容（コマンド）が「試運転の停止」であると特定する。
【００３０】
また、例えば、作業者が“あどれすせってい”と発声した場合、制御内容特定部４３１は、同様にコマンド呼称一覧テーブルを参照して、作業者が指示した制御の内容（コマンド）が「機器アドレスの新規設定」であると特定する。この場合、制御内容特定部４３１は、作業者により、一呼吸置いて続けて発声される数値の特定待ち状態となる。なお、ここでの「一呼吸」とは、例えば、１〜１０秒以内の時間間隔をいう。この状態で、例えば、作業者が“ひゃくに”と発声すると、制御内容特定部４３１は、数値呼称一覧テーブルを参照して、作業者が指示した制御の内容（数値）が「１０２」であると特定する。つまり、この場合、作業者は、機器アドレス“１０２”の新規設定を指示したことになる。このように、本実施形態では、作業者は、「機器アドレスの新規設定」を指示したい場合、先ず、「あどれすせってい」と発声し、その後、少なくとも１秒経過してから１０秒以内に、設定したいアドレスの番号（例えば「ひゃくに」）を発声する。
【００３１】
また、作業者は、空調機器制御アダプタ４による空調機器への音声認識による制御を終了させたい場合、“しゅうりょう”と発声すればよい。この場合、制御内容特定部４３１は、コマンド呼称一覧テーブルを参照して、作業者が指示した内容が「音声認識制御の終了」であると特定し、処理状態を「非音声認識制御中」に移行させる。
【００３２】
開始判定部４３２は、処理振分部４３０から前述の通知を受けると、開始キーワード定義テーブル（図６参照）を参照して、音声認識回路４２の認識結果（テキストデータ）が、定義されたキーワードと一致するか否かを判定する。開始キーワード定義テーブルは、音声認識制御を開始させるためのキーワードが定義されたデータテーブルであり、マイコン４３が備えるＲＯＭや半導体メモリ等に予め記憶されている。
【００３３】
図６に示すように、本実施形態では、開始キーワードとして、“おんせいせいぎょ”と“かいし”の２つのキーワードが、その発声の順番を示す番号と共に定義されている。図６の例では、先ず“おんせいせいぎょ”が発声され、その後“かいし”が発声されることが、音声制御を開始させるための条件であることが示されている。
【００３４】
現在の処理状態が「非音声認識制御中」の場合に、作業者が“おんせいぎょ”と発声した場合、開始判定部４３２は、作業者により最初の（第１の）キーワードが発声されたものと判定し、現在の処理状態を「開始受付中」に移行させる。そして、この時点から所定範囲の時間間隔、即ち、第１の時間経過後で且つ第２の時間経過以内に、作業者により“かいし”が発声されると、開始判定部４３２は、作業者により次の（第２の）キーワードが発声されたものと判定し、現在の処理状態を「音声認識制御中」に移行させる。これにより、空調機器制御アダプタ４に接続する空調機器に対して、音声による運転制御が可能となる。第１及び第２の時間は任意の設計事項であるが、本実施形態では、第１の時間は１秒であり、第２の時間は１０秒であるものとする。
【００３５】
一方、現在の処理状態が「開始受付中」になってから、第２の時間以内に作業者により“かいし”が発声されない場合、開始判定部４３２は、現在の処理状態を「開始受付中」から「非音声認識制御中」に移行させる。
【００３６】
計時部４３３は、制御内容特定部４３１又は開始判定部４３２からの指示により計時を開始し、指定された時間に到達すると、指示元の制御内容特定部４３１又は開始判定部４３２にその旨を通知（タイムアウト通知）する。
【００３７】
制御データ生成部４３４は、制御内容特定部４３１により特定された制御内容（コマンド、又は、コマンド＋数値）に基づいて、対応する空調機器を制御するための制御データを生成する。そして、コマンド生成部４３４は、生成した制御データを通信回路４０を介して、空調機器（例えば、室内機２Ｂ）に送信する。
【００３８】
図７は、空調機器（例えば、室内機２Ｂ）に接続された空調機器制御アダプタ４の動作手順を示すフローチャートである。空調機器制御アダプタ４は、電源ＯＮの間、以下の処理を繰り返し実行する。
【００３９】
作業者により、音声が発せられ、かかる音声を受信マイク４１が入力すると（ステップＳ１０１；ＹＥＳ）、音声認識回路４２が入力された音声（入力音声）を解析して認識する（ステップＳ１０２）。音声認識回路４２は、認識結果（例えば、テキストデータ）をマイコン４３に出力する。
【００４０】
マイコン４３の処理振分部４３０は、現在の処理状態が「非音声認識制御中」又は「開始受付中」の場合（ステップＳ１０３；ＹＥＳ）、処理実行の指示を開始判定部４３２に通知する。かかる通知を受けると開始判定部４３２は、現在の処理状態が「開始受付中」である場合には（ステップＳ１０４；ＹＥＳ）、処理状態を「開始受付中」に移行させた時点からの経過時間が所定の範囲に収まっているか否かを判定する（ステップＳ１０５）。具体的には、開始判定部４３２は、上記の時点から１秒経過後で且つ１０秒経過以内であるか否かを判定する。
【００４１】
その結果、所定の範囲に収まっていない場合（ステップＳ１０５；ＮＯ）、開始判定部４３２は、現在の処理状態を「非音声認識制御中」に移行させる（ステップＳ１０６）。そして、空調機器制御アダプタ４の処理は、ステップＳ１０１に戻る。
【００４２】
一方、所定の範囲に収まっている場合（ステップＳ１０５；ＹＥＳ）、開始判定部４３２は、開始キーワード定義テーブルを参照して、入力音声の認識結果が第２のキーワード（ここでは“かいし”）と一致するか否かを判定する（ステップＳ１０７）。入力音声の認識結果が第２のキーワードと一致しない場合（ステップＳ１０７；ＮＯ）、空調機器制御アダプタ４の処理は、ステップＳ１０１に戻る。一方、入力音声の認識結果が第２のキーワードと一致した場合（ステップＳ１０７；ＹＥＳ）、開始判定部４３２は、現在の処理状態を「音声認識制御中」に移行させる（ステップＳ１０８）。そして、空調機器制御アダプタ４の処理は、ステップＳ１０１に戻る。処理状態が「音声認識制御中」となると、作業者は、対象となる空調機器を音声により制御することが可能となる。
【００４３】
ステップＳ１０４の判定がＮＯ、即ち、現在の処理状態が「非音声認識制御中」である場合、開始判定部４３２は、開始キーワード定義テーブルを参照して、入力音声の認識結果が第１のキーワード（ここでは“おんせいせいぎょ”）と一致するか否かを判定する（ステップＳ１０９）。入力音声の認識結果が第１のキーワードと一致しない場合（ステップＳ１０９；ＮＯ）、空調機器制御アダプタ４の処理は、ステップＳ１０１に戻る。
【００４４】
一方、入力音声の認識結果が第１のキーワードと一致した場合（ステップＳ１０９；ＹＥＳ）、開始判定部４３２は、計時部４３３に対して、第１及び第２の時間を指定して計時を開始させる（ステップＳ１１０）。それから、開始判定部４３２は、現在の処理状態を「開始受付中」に移行させる（ステップＳ１１１）。そして、空調機器制御アダプタ４の処理は、ステップＳ１０１に戻る。
【００４５】
ステップＳ１０３の判定がＮＯ、即ち、現在の処理状態が「音声認識制御中」である場合、処理振分部４３０は、処理実行の指示を制御内容特定部４３１に通知する。かかる通知を受けると、制御内容特定部４３１は、前述したように、コマンド呼称一覧テーブル、数値呼称一覧テーブルを参照して、作業者の指示内容を特定する。その結果、作業者の指示内容が、「コマンド」（試運転の開始、試運転の停止）又は「コマンド＋数値」（機器アドレス“ＸＸ”番の新規設定）であると特定した場合（ステップＳ１１２；ＹＥＳ）、制御内容特定部４３１は、制御データ生成部４３４にその旨を通知する。
【００４６】
制御データ生成部４３４は、かかる通知を受けると、制御内容特定部４３１により特定されたコマンドのＩＤ又はコマンドＩＤ＋指定された数値を格納した制御データを生成する（ステップＳ１１３）。そして、制御データ生成部４３４は、生成した制御データを通信回路４０を介して、空調機器（例えば、室内機２Ｂ）に送信する（ステップＳ１１４）。そして、空調機器制御アダプタ４の処理は、ステップＳ１０１に戻る。
【００４７】
上記の制御データを受信した空調機器は、当該制御データに含まれるコマンドＩＤ又はコマンドＩＤ＋数値に基づいた運転動作を行う。例えば、コマンドＩＤが“００”の場合は、試運転動作を開始し、コマンドＩＤが“０１”の場合は、試運転動作を停止する。また、例えば、コマンドＩＤが“０２”で指定された数値が“１０２”の場合は、自己の機器アドレスが“１０２”であることを、室外機１や図示しない空調管理装置等に通知する。なお、機器アドレスの新規設定は、例えば、空調システムに新たな空調機器を新規追加した場合等に必要となる。
【００４８】
ステップＳ１１２でＮＯの場合であって、作業者の指示内容が「音声認識制御の終了」であると特定した場合（ステップＳ１１５；ＹＥＳ）、制御内容特定部４３１は、処理状態を「非音声認識制御中」に移行させる（ステップＳ１１６）。そして、空調機器制御アダプタ４の処理は、ステップＳ１０１に戻る。処理状態が「非音声認識制御中」になると、作業者は、対象となる空調機器を音声により制御することができなくなる。
【００４９】
以上説明したように、本実施形態の空調機器制御アダプタ４によれば、音声により対象の空調機器の動作制御を行うことができる。したがって、例えば、オフィスビル等に設置される空調機器の交換やメンテナンス等における作業性の向上が図れる。また、音声で制御できることで、電波や赤外光が伝わりにくい場所や環境下に空調機器が設置されている場合でも制御することが可能となる。
【００５０】
さらに、作業者により予め決められた複数の異なるキーワードが所定範囲の時間間隔で発声された場合に音声認識制御を開始させるため、作業者の意図しないタイミングで音声認識が開始されてしまうことを防止でき、且つ、秘匿性も確保できる。
【００５１】
（実施形態２）
続いて、本発明の実施形態２に係る空調機器について説明する。実施形態２の空調機器（室外機、室内機）も実施形態１の場合と同様、例えば、オフィスビル内に設置される空調システムを構成する。但し、本実施形態の空調機器は、実施形態１の空調機器制御アダプタ４と同等の機能を備えている点が、実施形態１の空調機器（室外機１、各室内機２）と異なる。
【００５２】
図８に示すように、本実施形態の空調機器６は、音声処理部６０と、本体部６１とから構成される。本体部６１（空気調節部）は、当該空調機器６（例えば、室内機）の本来的な機能（例えば、空気温度の調節等）を実現するための処理ユニットである。本体部６１の機能については、一般的なものであるため、その説明は省略する。
【００５３】
音声処理部６０は、上記したように実施形態１の空調機器制御アダプタ４と同等の機能を担う処理部であり、図９に示すように、受信マイク６０１と、音声認識回路６０２と、マイコン６０３と、を備える。これらは、それぞれ、空調機器制御アダプタ４の受信マイク４１、音声認識回路４２及びマイコン４３と略同一の仕様で構成され、同様の処理機能を有する。
【００５４】
即ち、受信マイク６０１は、作業者の音声等を入力し、音声認識回路６０２は、周知の手法により入力音声の認識を行い、音声の認識結果（例えば、テキストデータ）をマイコン６０３に出力する。
【００５５】
マイコン６０３は、作業者により予め決められた複数の異なるキーワードが所定範囲の時間間隔で発声された場合に音声認識制御を開始させる。そして、音声認識制御中において、マイコン６０３は、音声認識回路６０２から出力され認識結果に基づいて、本体部６１の動作を制御するための制御データを生成し、本体部６１に出力する。本体部６１は、音声処理部６０から出力された制御データに応じた運転動作を行う。
【００５６】
このように、本実施形態の空調機器６についても、実施形態１の空調機器制御アダプタ４と同等の効果を奏し得る。
【００５７】
なお、本発明は、上記の各実施形態に限定されず、本発明の要旨を逸脱しない範囲での種々の変更は勿論可能である。
【００５８】
例えば、上記実施形態では、作業者により、２つの異なるキーワードが所定の順番で発声されることが、音声認識制御を開始させるための１つの条件であったが、順番によらず、２つの異なるキーワードが所定範囲の時間間隔で発声された場合に音声認識制御を開始させるようにしてもよい。また、キーワードを３つ以上に設定してもよい。
【００５９】
また、音声により制御可能な動作も様々である。例えば、冷房、暖房、送風を指定できるようにしてもよいし、設定温度を変更できるようにしてもよい。また、実施形態１のように空調機器に空調機器制御アダプタを接続して音声制御する場合では、空調機器制御アダプタの接続確認を当該空調機器に行わせるようにしてもよい。
【００６０】
また、空調機器と空調機器制御アダプタとの通信方法も様々であり、例えば、空調機器制御アダプタを空調機器の近傍に設置し、両者が赤外線によるシリアル通信を行うよう構成されてもよい。このようにすると、空調機器制御アダプタとの通信用の端子（例えば、ＪＥＭＡ端子）を備えていない空調機器に対しても音声制御が可能になり、汎用性が高まる。
【００６１】
また、音声ではなく、周波数が異なる複数の電子音等を入力することを音声認識制御の開始条件としてもよい。この場合、例えば、作業者は、所持する携帯端末等から上記の電子音等を出力させればよい。このようにしても、作業者の意図しないタイミングで音声認識が開始されてしまうことを防止でき、且つ、秘匿性も確保できる。
【００６２】
また、実施形態２の空調機器において、音声認識制御の開始条件となるキーワードを適宜変更できるようにしてもよい。例えば、空調機器の表示部に、一定時間毎に異なるキーワードを示す二次元コードを表示させ、作業者は、携帯端末等を用いて、この２次元コードを読み取り、キーワードに変換後、発声するようにしてもよい。このようにキーワードが適宜変更されることで、秘匿性が一層高まる。
【００６３】
また、空調機器制御アダプタに相当する装置（空調機器制御装置）を空調システムにおける通信線上、即ち、通信線３上に接続し、当該空調システムを構成する全ての空調機器を音声によって制御できるようにしてもよい。この場合の空調機器制御装置は、作業者が音声により指定した機器アドレスにより、制御対象の空調機器を特定する。このようにすると、メンテナンス等の作業性が向上すると共に、少数（例えば１台）の空調機器制御装置を設置するだけで済むため、コストの低減が図れる。
【００６４】
また、実施形態１の空調機器制御アダプタや、実施形態２の空調機器において、さらに、ＬＥＤやスピーカを備える構成にして、音声制御の結果を、ＬＥＤの点灯・点滅、音声やブザー音等の出力により作業者に報知できるようにしてもよい。このようにすると、作業者は、音声制御の結果を即座に知ることができ、作業性のさらなる向上が期待できる。
【００６５】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【符号の説明】
【００６６】
１      室外機
２（２Ａ、２Ｂ）  室内機
３、５  通信線
４      空調機器制御アダプタ
６      空調機器
４０    通信回路
４１、６０１  受信マイク
４２、６０２  音声認識回路
４３、６０３  マイコン
６０    音声処理部
６１    本体部
４３０  処理振分部
４３１  制御内容特定部
４３２  開始判定部
４３３  計時部
４３４  制御データ生成部
【図１】
0005436586.tif 000002
【図２】
0005436586.tif 000003
【図３】
0005436586.tif 000004
【図４】
0005436586.tif 000005
【図５】
0005436586.tif 000006
【図６】
0005436586.tif 000007
【図７】
0005436586.tif 000008
【図８】
0005436586.tif 000009
【図９】
0005436586.tif 000010